(57)【要約】【課題】好適に頭巾型エアバッグを展開できるエアバッグ装置を提供する。【解決手段】エアバッグ装置２において、背負い式収納具に対する障害物の接近を検出する検出手段であるドップラーセンサ１０と、ドップラーセンサ１０により、前記障害物が所定速度以上であり、かつ前記障害物が背負い式収納具に対して所定距離未満に接近したことを検出した場合に、頭巾型エアバッグ４を膨出させる膨出手段であるガスボンベ５等と、を設ける。【選択図】図２
2014230664.tif 000002
【特許請求の範囲】
【請求項１】
背負い式収納具に設けられる頭巾型エアバッグを備えるエアバッグ装置において、
前記背負い式収納具に対する障害物の接近を検出する検出手段と、
前記検出手段により、前記障害物が所定速度以上であり、かつ前記障害物が前記背負い式収納具に対して所定距離未満に接近したことを検出した場合に、前記頭巾型エアバッグを膨出させる膨出手段と、を有することを特徴とするエアバッグ装置。
【請求項２】
前記検出手段が、前記障害物のうちの前記背負い式収納具の後方の障害物のみの接近を検出することを特徴とする請求項１に記載のエアバッグ装置。
【請求項３】
前記検出手段が、前記背負い式収納具の後方に向けて送信波を送信する送信部と、前記送信波の前記障害物からの反射波を受信する受信部と、を有することを特徴とする請求項２に記載のエアバッグ装置。
【請求項４】
前記背負い式収納具が、上方に開放する収納部を備え、
前記膨出手段が、前記頭巾型エアバッグと連通したガスボンベを備え、
前記検出手段が、前記収納部の後面側に設けられ、
前記ガスボンベが、前記収納部の側面側に設けられることを特徴とする請求項１〜３のいずれか１項に記載のエアバッグ装置。
【請求項５】
前記背負い式収納具は、前記収納部の上方を覆う蓋部材を備え、
前記蓋部材に前記頭巾型エアバッグが取り付けられることを特徴とする請求項４に記載のエアバッグ装置。
【発明の詳細な説明】
【技術分野】
【０００１】
本発明は、頭巾型エアバッグを備えるエアバッグ装置に関する。
【背景技術】
【０００２】
背負い式収納具（リュックサック）の収納部分の上部に頭巾型エアバックが設けられるとともに、背負い式収納具の肩掛け部分に浮袋用エアバッグが設けられる背負い式収納具が特許文献１に開示されている。
【０００３】
上記の頭巾型エアバックは、手動により、ガスボンベからのガスが頭巾内面に設けられた複数の区画空腔部に充填されることで、展開する。また、浮袋用エアバッグは、自動で展開することが可能となっており、水に浸かって紙製のスプールが剛性を失い、激針によってボンベが破られた場合に、自動的にガスが流入して展開する。
【先行技術文献】
【特許文献】
【０００４】
【特許文献１】特開平９−１３１２２２号公報
【発明の概要】
【発明が解決しようとする課題】
【０００５】
しかしながら、上記特許文献１に係る技術では、交通事故等に遭遇する可能性のある場合に展開させることを想定すると、利用者は、手動によりガスボンベを作動させなければならず、好適にエアバッグを展開できない可能性がある。また、後方から車両が接近してくる場合等には、利用者が車両に気付き難いことがあり、好適にエアバッグを展開できない可能性がある。
【０００６】
本発明は上述の実情に鑑みてなされたものであり、好適に頭巾型エアバッグを展開できるエアバッグ装置を提供することを目的とする。
【課題を解決するための手段】
【０００７】
上記課題の解決手段として、請求項１に記載の発明は、背負い式収納具に設けられる頭巾型エアバッグを備えるエアバッグ装置において、前記背負い式収納具に対する障害物の接近を検出する検出手段と、前記検出手段により、前記障害物が所定速度以上であり、かつ前記障害物が前記背負い式収納具に対して所定距離未満に接近したことを検出した場合に、前記頭巾型エアバッグを膨出させる膨出手段と、を有することを特徴とする。
【０００８】
請求項２に記載の発明は、前記検出手段が、前記障害物のうちの前記背負い式収納具の後方の障害物のみの接近を検出することを特徴とする。
【０００９】
請求項３に記載の発明は、前記検出手段が、前記背負い式収納具の後方に向けて送信波を送信する送信部と、前記送信波の前記障害物からの反射波を受信する受信部と、を有することを特徴とする。
【００１０】
請求項４に記載の発明は、前記背負い式収納具が、上方に開放する収納部を備え、前記膨出手段が、前記頭巾型エアバッグと連通したガスボンベを備え、前記検出手段が、前記収納部の後面側に設けられ、前記ガスボンベが、前記収納部の側面側に設けられることを特徴とする。
【００１１】
請求項５に記載の発明は、前記背負い式収納具は、前記収納部の上方を覆う蓋部材を備え、前記蓋部材に前記エアバッグが取り付けられることを特徴とする。
【発明の効果】
【００１２】
請求項１に記載の発明によれば、障害物の接近に応じて利用者側の処理で頭巾型エアバッグを自動で展開させることができることにより、好適に頭巾型エアバッグを展開できる。
【００１３】
請求項２に記載の発明によれば、利用者が気付き難い方向の障害物の接近を検出できる。
【００１４】
請求項３に記載の発明によれば、後方からの障害物の接近を適切に検出できる。
【００１５】
請求項４に記載の発明によれば、収納部の収納スペースが狭まるのを防止できる。
【００１６】
請求項５に記載の発明によれば、頭巾型エアバッグによる好適な保護性を確保できる。
【図面の簡単な説明】
【００１７】
【図１】本発明の実施形態に係る頭巾型エアバックを備えるエアバック装置の適用場面の概念図である。
【図２】上記エアバッグ装置の概略構成図である。
【図３】上記エアバッグ装置におけるエアバッグ展開処理を説明するフローチャートである。
【図４】上記エアバッグ装置が背負い式収納具に設けられた状態で、頭巾型エアバッグが展開した状態の斜視図である。
【図５】図５（Ａ）は、上記エアバッグ装置が背負い式収納具に設けられた状態で、頭巾型エアバッグが展開した状態の正面図であり、図５（Ｂ）は、同状態の側面図である。
【図６】展開前のエアバッグ装置が背負い式収納具に設置された状態の側面図である。
【図７】展開前の上記頭巾型エアバッグの正面図である。
【図８】上記頭巾型エアバッグの作製方法を説明する図である。
【図９】上記頭巾型エアバッグの作製方法を説明する図である。
【図１０】上記頭巾型エアバッグの作製方法を説明する図である。
【図１１】上記頭巾型エアバッグの展開前における設置態様を説明する図であり、上記頭巾型エアバッグが図１１（Ａ），（Ｂ）→（Ｃ），（Ｄ）→（Ｅ），（Ｆ）の順で折り畳まれる様子を示した図である。
【図１２】上記頭巾型エアバッグが図１２（Ａ）→（Ｄ）の順で、展開する様子を説明する図である。
【発明を実施するための形態】
【００１８】
以下、本発明の実施形態について図面を用いて説明する。
【００１９】
図１において、符合１は、利用者Ｕが背負った背負い式収納具の一例であるランドセルを示しており、本実施形態では、ランドセル１にエアバッグ装置２が搭載されている。エアバッグ装置２は、エアバッグ制御装置３と頭巾型エアバッグ４とを備えている。詳細は後述するが、本実施形態において、エアバッグ制御装置３は、ランドセル１の後部に設けられ、頭巾型エアバッグ４は、ランドセル１の上部に設けられている。
【００２０】
エアバッグ装置２は、図１に示すように車両等の障害物Ｖがランドセル１に接近した際に、その接近をエアバッグ制御装置３によって検出し、所定条件が充足された場合に、頭巾型エアバッグ４を自動的に展開させる。図１では、説明便宜上、展開前の頭巾型エアバッグ４を実線で示し、展開後の頭巾型エアバッグ４を二点鎖線で示している。
【００２１】
図２は、エアバッグ装置２の概略構成図である。
エアバッグ装置２は、上記したエアバッグ制御装置３と、頭巾型エアバッグ４と、頭巾型エアバッグ４を展開（膨出）させるためのガスを供給するガスボンベ５及びレギュレータ６と、ガスボンベ５及びレギュレータ６と頭巾型エアバッグ４とを連通させるガス供給管７と、ガス供給管７の途中に設けられる電磁バルブ８と、エアバッグ制御装置３からの指令を受けて電磁バルブ８に電流を供給し電磁バルブ８を駆動するリレースイッチ９と、を有している。
【００２２】
エアバッグ装置２では、リレースイッチ９が切り替えられて電磁バルブ８が開放することで、ガスボンベ５及びレギュレータ６側から頭巾型エアバッグ４に向けてガスが流入し、頭巾型エアバッグ４が展開する。レギュレータ６は、ガスボンベ５に充填されたガスを調圧してガス供給管７に流入させるために設けられている。
【００２３】
エアバッグ制御装置３は、マイクロ波ｍｗを発信する送信部１０Ａ及び発信したマイクロ波の反射波ｒｗを受信する受信部１０Ｂを有するドップラーセンサ１０と、ドップラーセンサ１０の検出値に基づき各種演算を行う制御装置であるマイコン１１と、を有し、障害物Ｖの接近を検出して、頭巾型エアバッグ４の展開制御を行う。
マイコン１１は、ドップラーセンサ１０の検出値に基づき、障害物Ｖの速度を算出する障害物速度算出部１２と、障害物Ｖと利用者Ｕ（正確には、エアバッグ制御装置３）との間の距離を推定する障害物距離推定部１３と、障害物速度算出部１２で算出した障害物Ｖの速度及び障害物距離推定部１３で推定した障害物Ｖの利用者Ｕに対する接近距離が所定の条件を充足したときに、リレースイッチ９を切り替えて頭巾型エアバッグ４を展開させるエアバッグ動作制御部１４と、を有している。
【００２４】
障害物速度算出部１２は、送信部１０Ａで発信したマイクロ波ｍｗの周波数と、受信部で受信した反射波ｒｗの周波数と、を比較して、周波数のシフト量を算出し、このシフト量に基づき障害物Ｖの速度を算出する。反射波ｒｗの周波数は、反射波ｒｗをフリーエ変換して周波数スペクトルを求めることで算出することができる。
【００２５】
障害物距離推定部１３は、本実施形態では、送信部１０Ａで発信したマイクロ波ｍｗの検出限界距離を、例えば実験的に予め定めておき、この検出限界距離から、障害物速度算出部１２で算出した障害物Ｖの速度に基づき算出される障害物Ｖの移動距離を減算することで、障害物Ｖの接近距離を推定する。なお、本実施形態では、予め定めた検出限界距離と、算出可能な障害物Ｖの速度から、障害物Ｖの接近距離を推定するが、この他の演算方法で、接近距離を推定しても構わない。
【００２６】
エアバッグ動作制御部１４は、障害物Ｖが所定速度以上であり、かつ障害物Ｖが利用者Ｕ（エアバッグ制御装置３）に対して所定距離未満に接近したことを検出した場合に、リレースイッチ９に電流を供給して、頭巾型エアバッグ４を展開させる。
【００２７】
図３は、エアバッグ制御装置３によるエアバッグ展開処理を説明するフローチャートを示している。ステップＳ１に示すように、エアバッグ制御装置３は、常時、障害物Ｖの速度及び障害物Ｖの接近距離を監視し、そして、障害物Ｖが所定速度（閾値）以上であり、かつ障害物Ｖが所定距離（閾値）未満に接近したことを検出した場合に、ステップＳ２に示すように、リレースイッチ９に電流を供給して、頭巾型エアバッグ４を展開させる。
【００２８】
図４は、エアバッグ装置２がランドセル１に設けられた状態で頭巾型エアバッグ４が展開した状態の斜視図であり、図５（Ａ）は同状態の正面図であり、（Ｂ）は同状態の側面図である。また、図６は、展開前のエアバッグ装置２がランドセル１に設けられた状態の側面図である。
【００２９】
ランドセル１は、上方に開放する矩形箱状の収納部２０と、収納部２０に設けられた左右一対の肩掛け部２１と、収納部２０の開放部を覆うとともに収納部２０の後部も覆う蓋部材２２と、を有している。
本実施形態では、ガスボンベ５及びレギュレータ６が収納部２０の左側部の外面に着脱可能に設けられている。頭巾型エアバッグ４は、蓋部材２２の上部の外面に着脱可能に設けられている。また、ガス供給管７は、レギュレータ６から上方に延びて蓋部材２２の上部まで至って、頭巾型エアバッグ４に接続されている。また、電磁バルブ８は、展開前の状態の頭巾型エアバッグ４の下方において蓋部材２２の上部側に設けられている。
【００３０】
また、本実施形態では、エアバッグ制御装置３が蓋部材２２のうちの後方を指向する部位の内側に設けられ、ドップラーセンサ１０の送信部１０Ａが、ランドセル１の後方に向けてマイクロ波を送信し、受信部１０Ｂが、後方を指向するように設けられる。これにより、本実施形態のエアバッグ制御装置３では、接近する障害物のうちの後方の障害物のみの接近を好適に検出する構成となっている。
【００３１】
頭巾型エアバッグ４は、布部材を縫合して頭巾型に形成され、利用者Ｕの後頭部、左側頭部、右側頭部、及び頭上部にそれぞれ被される後頭部被覆部２５、左側頭部被覆部２６Ｌ、右側頭部被覆部２６Ｒ、及び頭上部被覆部２７を有する。
後頭部被覆部２５、左側頭部被覆部２６Ｌ、右側頭部被覆部２６Ｒ、及び頭上部被覆部２７はそれぞれ、ガスが充填される空間であるガス室２５ｇ、２６Ｌｇ、２６Ｒｇ、２７ｇを内側に有し、各ガス室にガスが充填されることで展開状態となる。
【００３２】
図７には、展開前の頭巾型エアバッグ４の正面図が示され、同図には、ガス供給管７と接続する接続流入口２８Ａを有するガス導入部２８が示されている。
ガス導入部２８は、後頭部被覆部２５に連なって一体に設けられ、その一部の領域に接続流入口２８Ａが形成されている。接続流入口２８Ａを介して流入されるガスは、後頭部被覆部２５、左側頭部被覆部２６Ｌ、右側頭部被覆部２６Ｒ、及び頭上部被覆部２７のうち、最初に後頭部被覆部２５に供給される。接続流入口２８Ａは、布部材に縫われた縫糸によって形成されている。
【００３３】
後頭部被覆部２５、左側頭部被覆部２６Ｌ、右側頭部被覆部２６Ｒ、頭上部被覆部２７、及びガス導入部２８はそれぞれ、略矩形状に形成されている。ガス導入部２８における接続流入口２８Ａは、略矩形状のガス導入部２８の４辺部のうちの一辺部で開放し、ガス導入部２８は、その４辺部のうちの、上記した一辺部に対向する他辺部で、後頭部被覆部２５に連なっており、後頭部被覆部２５から突出するように設けられている。
【００３４】
そして、後頭部被覆部２５のうちの、ガス導入部２８と接続する辺部（以下、下辺部と呼ぶ）に対向する辺部（以下、上辺部）に、頭上部被覆部２７が接続して連通している。
また、後頭部被覆部２５の４辺部のうちの、左右辺部に、左側頭部被覆部２６Ｌ及び右側頭部被覆部２６Ｒが接続して連通している。
また、頭上部被覆部２７、左側頭部被覆部２６Ｌ、及び右側頭部被覆部２６Ｒは、展開状態で利用者Ｕの頭部を左、上、右に連続して覆うように、正面視で下方に開放する略Ｕ字状をなすように連結されている。
【００３５】
図８〜図１０を参照し、頭巾型エアバッグ４の作製方法について説明するとともに、頭巾型エアバッグ４の構成をより詳しく説明する。
【００３６】
図８を参照し、頭巾型エアバッグ４の作製においては、まず、同一の大きさでクロス形状に形成された２枚の基布４０を用意し、適所に４枚の継布４１を挟んだ状態で、２枚の基布４０を同一の向きで重ね合わせる。そして、図中符合４２で示す太線の領域である各基布４０の外枠部分で、２枚の基布４０を縫合し袋状体を形成する。この際、継布４１は、外枠部分４２と一緒に縫合されて、基布４０と一体化される。
なお、図中では、基布４０における、後頭部被覆部２５、左側頭部被覆部２６Ｌ、右側頭部被覆部２６Ｒ、頭上部被覆部２７、及びガス導入部２８を形成する領域に、符合２５’、２６Ｌ’、２６Ｒ’、２７’、及び２８’をそれぞれ示している。これら領域はそれぞれ略矩形状である。
クロス形状の基布４０の交差部分に位置する矩形状の領域２５’が、後頭部被覆部２５を形成する領域となる。
頭上部被覆部２７を形成する領域２７’、ガス導入部２８を形成する２８’、左側頭部被覆部２６Ｌを形成する領域２６Ｌ’、右側頭部被覆部２６Ｒを形成する領域２６Ｒ’は、放射状に四方に領域２５’から突出した領域である。なお、ガス導入部２８を形成する領域２８’は、突出側の端部が縫合されず開放した状態とされている。
【００３７】
また、継布４１は、詳細は後述するが、左側頭部被覆部２６Ｌ、右側頭部被覆部２６Ｒ、頭上部被覆部２７を連結させるための長方形状の布であり、領域２７’における、領域２６Ｌ’及び領域２６Ｒ’に近接する２辺部、及び、領域２６Ｌ’及び領域２６Ｒ’における領域２７’に近接する辺部に配置され、それぞれの一部が外側にはみ出す状態となっている。
【００３８】
そして、上記のような基布４０及び継布４１を縫合した袋状体を形成した後は、この袋状体の表裏を反転させる。なお、頭巾型エアバッグ４における、後頭部被覆部２５、左側頭部被覆部２６Ｌ、右側頭部被覆部２６Ｒ、頭上部被覆部２７は、基布４０が外枠部分４２で縫合されることで、内側にガス室が形成され、基本的な形状が形成される。
【００３９】
図９には、基布４０からなる袋状体を図８の状態から反転させたものが示されている。この状態では、図中で、太線の点線で示すラインに沿って２枚の基布４０を縫合する。
領域２７’及び領域２５’に跨って相互に平行の状態で直線的に２本延びるライン４３Ａは、頭上部被覆部２７及び後頭部被覆部２５のガス室２７ｇ，２５ｇを複数の室に仕切るために縫合される。本実施形態では、領域２７’及び領域２５’においてライン４３Ａが縫合されることで頭上部被覆部２７及び後頭部被覆部２５が形成される。
【００４０】
また、領域２６Ｌ’の突出側の辺部から領域２５’側に延びるライン４３Ｌは、左側頭部被覆部２６Ｌのガス室２６Ｌｇを複数に仕切るために縫合される。領域２６Ｒ’の突出側の辺部から領域２５’側に延びるライン４３Ｒは、右側頭部被覆部２６Ｒのガス室２６Ｒｇを複数に仕切るために縫合される。
本実施形態では、領域２６Ｌ’においてライン４３Ｌが縫合されることで、左側頭部被覆部２６Ｌが形成され、領域２６Ｒ’においてライン４３Ｒが縫合されることで、右側頭部被覆部２６Ｒが形成される。
【００４１】
領域２５’における領域２８’に近接した部位で、左右方向（領域２６Ｌ’及び領域２６Ｒ’が並ぶ方向）に延びるライン４３Ｂは、後頭部被覆部２５とガス導入部２８との折り曲げ位置を規定するものである。詳細は、後述するが、頭巾型エアバッグ４を設置する際は、後頭部被覆部２５とガス導入部２８の接続部分又はその近傍を折り曲げる。ライン４１Ｂは、この折り曲げ作業を行い易くするために縫合されるものである。
【００４２】
また、領域２８’における複数のラインからなるライン４３Ｃは、接続流入口２８Ａ、及びガス導入部２８におけるガス室２８ｇを形成するために縫合される。領域２８’において、ライン４３Ｃが縫合されることで、ガス導入部２８が形成される。
ガス導入部２８において、接続流入口２８Ａは、ガス導入部２８の突出側の辺部（開放側の辺部）からこれに対向する後頭部被覆部２５側の辺部に向けて延び、開放側の辺部と後頭部被覆部２５側の辺部との略中央まで至って、ガス室２８ｇに連通する。
ガス室２８ｇはガス室２５ｇに連通するように形成される。したがって、ガス供給管７から供給されるガスは、ガス室２８ｇを介して最初に後頭部被覆部２５のガス室２５ｇに流入することになる。なお、ガス室２８ｇは、ガス室２５に対して幅狭に形成され、ガス室２５ｇ側から絞られるように接続流入口２８Ａ側に延びるように形成されている。
【００４３】
次に、図１０に示す二点鎖線で示す継布４１上のＡ−Ａラインを重ねるとともに、継布４１上のＢ−Ｂラインを重ねて、隣接する継布４１同士を縫合することで、頭上部被覆部２７、左側頭部被覆部２６Ｌ及び右側頭部被覆部２６Ｒが連結した状態とされる。
【００４４】
また、後頭部被覆部２５に、後頭部被覆部２５とランドセル１の肩掛け部２１と、を繋ぐための左右一対の連結部２９を縫って設ける。連結部２９は環状に形成され、後頭部被覆部２５のうちの、ガス導入部２８と後頭部被覆部２５とが接続する辺部に近接する位置であって、上記した折り曲げ位置とするライン４３Ｂの近傍に設けられる。
【００４５】
また、ガス導入部２８における、ガス室２８ｇ及び接続流入口２８Ａを挟んで両側の領域は、接続流入口２８が延びる方向に延びる図中二点鎖線で示すＣ−Ｃラインを重ねるとともに、Ｄ−Ｄラインを重ねて縫合される。
【００４６】
以上のようにして、図７に示す形状の頭巾型エアバッグ４が形成される。そして、頭巾型エアバッグ４は、図６に示すように、折り畳まれた状態で、蓋部材２２の上部に設けられる。
詳しくは、頭巾型エアバッグ４は、ガス導入部２８が最下部に位置し、その上に後頭部被覆部２５が重なって位置して、その上に左側頭部被覆部２６Ｌ及び右側頭部被覆部２６Ｒが重なって位置し、その上に、頭上部被覆部２７が重なって位置するように折り畳まれて重なる状態とされる。
【００４７】
図１１には、頭巾型エアバッグ４のランドセル１への設置手順が示されている。
頭巾型エアバッグ４の設置では、図１１（Ａ），（Ｂ）に示すように、まず、ガス導入部２８と後頭部被覆部２５とが接続する辺部又はその近傍（ライン４３Ｂ近傍）を折り曲げ位置として、図１１（Ａ）中矢印に示すように、ガス導入部２８を後頭部被覆部２５に接近するように折り曲げる。ここで、ガス導入部２８は、後頭部被覆部２５のうちの展開時に外部側に向く外面に接近するように折り曲げられる。そして、後頭部被覆部２５とガス導入部２８との折り曲げ位置が前方を指向する状態で、ランドセル１（蓋部材２２）の上部に載置される。この際、ガス導入部２８の下方にガス供給管７及び電磁バルブ８が位置するようにする。また、連結部２９は、ここで、肩掛け部２１に挿入させるのがよい。
【００４８】
またここで、ガス導入部２８が最下部に位置し、その上に後頭部被覆部２５が重なって位置することで、後頭部被覆部２５のガス室２５ｇの下方に、ガス導入部２８のガス室２８ｇが位置し、ガス室２５ｇ及びガス室２８ｇが上下方向で重なりつつ、後頭部被覆部２５とガス導入部２８との折り曲げ位置を跨いで連なる状態となる。
【００４９】
次に、図１１（Ｃ），（Ｄ）に示すように、左側頭部被覆部２６Ｌ及び右側頭部被覆部２６Ｒが、後頭部被覆部２５の上に重なるように折り畳む。詳しくは、左側頭部被覆部２６Ｌは右に向けて曲げられ、右側頭部被覆部２６Ｒは左に向けて曲げられる。
そして、図１１（Ｅ），（Ｆ）に示すように、頭上部被覆部２７が、左側頭部被覆部２６Ｌ及び右側頭部被覆部２６Ｒの上に重なるように折り畳む。詳しくは、後頭部被覆部２５が前方に向けて曲げられる。
【００５０】
図１２（Ａ）〜（Ｄ）を参照し、以上のように構成、設置された頭巾型エアバッグ４が展開する様子を説明する。
【００５１】
まず、頭巾型エアバッグ４は、ガスボンベ５からガスが供給されると、図１２（Ａ）に示す折り畳まれた状態から、図１２（Ｂ）に示すように、左側頭部被覆部２６Ｌ、右側頭部被覆及び頭上部被覆部２７を上方に跳ね上げられて膨張する（図１２（Ｂ）矢印参照）。
頭巾型エアバッグ４にガスが供給される際には、最初に、左側頭部被覆部２６Ｌ、右側頭部被覆部２６Ｒ及び頭上部被覆部２７の下方に位置する後頭部被覆部２５が膨張するため、左側頭部被覆部２６Ｌ、右側頭部被覆部２６Ｒ及び頭上部被覆部２７が上方に跳ね上げられる。
そして、このように、左側頭部被覆部２６Ｌ、右側頭部被覆部２６Ｒ及び頭上部被覆部２７が跳ね上げられることで、左側頭部被覆部２６Ｌ、右側頭部被覆部２６Ｒ及び頭上部被覆部２７に無理なくガスが供給されることで、頭巾型エアバッグ４がスムースに展開する。
【００５２】
そして、図１２（Ｂ）に示す状態から、ガスの充填が進行すると、図１２（Ｃ）に示すように、後頭部被覆部２５が、ガス導入部２８に対する折り曲げ位置から前方に向けて立ち上がるようにして展開する。これに伴い、左側頭部被覆部２６Ｌ、右側頭部被覆及び頭上部被覆部２７が展開を進行させつつ前方に移動する（図１２（Ｃ）矢印参照）。
そして、図１２（Ｄ）に示すガスの充填完了状態では、後頭部被覆部２５、左側頭部被覆部２６Ｌ、右側頭部被覆部２６Ｒ、及び頭上部被覆部２７が利用者Ｕの頭部を全体的に覆うように前方に移動されて、利用者Ｕの頭部が覆われる。
【００５３】
ここで、後頭部被覆部２５が、ガス導入部２８に対する折り曲げ位置から前方に向けて立ち上がり、これに伴い、左側頭部被覆部２６Ｌ、右側頭部被覆部２６Ｒ及び頭上部被覆部２７が前方に移動するのは、後頭部被覆部２５のガス室２５ｇ及びガス導入部２８のガス室２８ｇが、後頭部被覆部２５とガス導入部２８との折り曲げ位置を跨いで連なる状態となっている構成、連結部２９で、後頭部被覆部２５と肩掛け部２１とを繋ぐ構成による。
すなわち、後頭部被覆部２５のガス室２５ｇ及びガス導入部２８のガス室２８ｇが、後頭部被覆部２５とガス導入部２８との折り曲げ位置を跨いで連なる状態となる場合、ガス室２５ｇ及びガス室２８ｇへのガスの充填が進行すると、これらは直線状に延びるように膨張する。ここで、ガス導入部２８の位置を連結部２９で規制しておけば、後頭部被覆部２５が、移動を規制されたガス導入部２８に対する折り曲げ位置を中心に、前方に向けて回動するように好適に立ち上がるようになる。これにより、好適に利用者Ｕの頭部に頭巾型エアバッグ４が被される。
【００５４】
以上に記載した本実施形態のエアバッグ装置２は、背負い式収納具であるランドセル１に設けられる頭巾型エアバッグ４を備え、さらに、ランドセル１に対する障害物の接近を検出する検出手段であるドップラーセンサ１０と、ドップラーセンサ１０により、障害物が所定速度以上であり、かつ障害物が所定距離未満に接近したことを検出した場合に、頭巾型エアバッグ４を膨出させる膨出手段であるマイコン１１及びガスボンベ５等と、を有する。このエアバッグ装置２では、障害物の接近に応じて利用者側の処理で頭巾型エアバッグ４を自動で展開させることができることにより、好適に頭巾型エアバッグ４を展開できる。
【００５５】
また、本実施形態のエアバッグ装置２では、ドップラーセンサ１０が、障害物のうちのランドセル１の後方の障害物のみの接近を検出する構成であるが、この構成では、利用者Ｕが気付き難い方向の障害物の接近を検出できる。具体的に本実施形態では、ドップラーセンサ１０が、ランドセル１の後方に向けて送信波を送信する送信部１０Ａと、送信波の障害物からの反射波を受信する受信部１０Ｂと、を有する構成となっている。この構成によって、後方からの障害物の接近を適切に検出できるようにしている。
【００５６】
また、本実施形態のエアバッグ装置２では、ランドセル１が、上方に開放する収納部２０を備え、ドップラーセンサ１０を含むエアバッグ制御装置３が、収納部２０の後面側に設けられ、ガスボンベ５が、収納部２０の側面側に設けられる。この構成では、エアバッグ装置２の設置によって、収納部２０の収納スペースが狭まるのを防止できる。
【００５７】
また、本実施形態のエアバッグ装置２では、ランドセル１の蓋部材２２に頭巾型エアバッグ４が取り付けられるが、この構成では、頭巾型エアバッグ４による好適な保護性を確保できる。
【００５８】
以上、本発明の実施形態について説明したが、本発明は上記の実施形態に限定されるものではなく、本発明の趣旨を逸脱しない範囲において種々の変更を加えることが可能である。
【００５９】
例えば、上記実施形態では、障害物の検出手段としてマイクロ波を発信するドップラーセンサを用いたが、赤外線を利用したもの等であってもよい。
【００６０】
また、本発明を適用する背負い式収納具としては、リュックサック等のランドセル１以外のものであってもいいことは言うまでもない。
【００６１】
また、上記実施形態では、ドップラーセンサ１０でランドセル１の後方の障害物のみを検出するとしたが、ドップラーセンサを複数設ける等して、後方から側方にかけて広範囲に障害物を検出できるようにしてもよい。また、前方の障害物を検出するために、前方に向けてマイクロ波等を送信するようにしてもよい。
【符号の説明】
【００６２】
１  ランドセル（背負い式収納具）
２  エアバッグ装置
３  エアバッグ制御装置
４  頭巾型エアバッグ
５  ガスボンベ
１０  ドップラーセンサ
１１  マイコン
１２  障害物速度算出部
１３  障害物距離推定部
１４  エアバッグ動作制御部
２０  収納部
２１  肩掛け部
２２  蓋部材
２５  後頭部被覆部
２６Ｌ  左側頭部被覆部
２６Ｒ  右側頭部被覆部
２７  頭上部被覆部
２８  ガス導入部
２８Ａ  接続流入口
２５ｇ，２６Ｌｇ，２６Ｒｇ，２７ｇ，２８ｇ  ガス室
２９  連結部
【図１】
2014230664.tif 000003
【図２】
2014230664.tif 000004
【図３】
2014230664.tif 000005
【図４】
2014230664.tif 000006
【図５】
2014230664.tif 000007
【図６】
2014230664.tif 000008
【図７】
2014230664.tif 000009
【図８】
2014230664.tif 000010
【図９】
2014230664.tif 000011
【図１０】
2014230664.tif 000012
【図１１】
2014230664.tif 000013
【図１２】
2014230664.tif 000014